【手続補正書】
【提出日】平成19年11月21日(2007.11.21)
【手続補正１】
【補正対象書類名】明細書
【補正対象項目名】特許請求の範囲
【補正方法】変更
【補正の内容】
【特許請求の範囲】
【請求項１】  データ通信システム（２）におけるリソースにサービスの品質を割り当てる方法であって、
第１品質のサービスレベルを有するデータ通信セッションとして、特定加入者局から要求される前記データ通信セッションを開始するためのリクエスト（８０）を受信する工程（８０）と、
前記データ通信システムの輻輳として、前記第１品質のサービスレベルで前記要求されたデータ通信を前記データ通信システムがサポートすることを妨げる前記輻輳を検出する工程（８４）と、
前記加入者局によって使用される第２品質のサービスレベルを割り当てる工程（５６）と、
前記割り当てられた第２品質のサービスレベルでデータ通信セッションを開始する工程（５８）と、
前記データ通信セッション中に、第３品質のサービスレベルの利用可能性を確認するために前記データ通信システムの輻輳レベルを監視する工程（６２）と、
前記加入者局によって使用される前記第３品質のサービスレベルを割り当てる工程（６４）と
を備えることを特徴とする方法。
【請求項２】  前記第１及び第３品質のサービスレベルは、同一である
ことを特徴とする請求項１に記載の方法。
【請求項３】  前記第１品質のサービスレベルに対する前記要求の指示を記憶する工程を更に備える
ことを特徴とする請求項１に記載の方法。
【請求項４】  前記データ通信システム（２）の前記輻輳レベルを監視する工程は、前記記憶された指示の結果として実行される
ことを特徴とする請求項３に記載の方法。
【請求項５】  前記データ通信セッションを前記割り当てられた第３品質のサービスレベルへアップグレードする工程を更に備え、前記第２品質のサービスレベルは、前記第１品質のサービスレベルよりも低い
ことを特徴とする請求項１に記載の方法。
【請求項６】  前記第２品質のサービスレベルは、前記第１品質のサービスレベルより高い
ことを特徴とする請求項１に記載の方法。
【請求項７】  前記加入者局（１０）へ前記第２品質のサービスレベルの前記割当を通知する工程（９０）と、
前記加入者局（１０）からの前記第２品質のサービスレベルの割当の受諾を受信する工程（１０４）とを更に備え、前記割り当てられた第２品質のサービスレベルで前記データ通信セッションを開始する工程は、前記受諾に対する応答で実行される
ことを特徴とする請求項１に記載の方法。
【請求項８】  前記検出された輻輳は、前記データ通信システム（２）の無線ネットワーク（１６）における輻輳によって特徴づけられる
ことを特徴とする請求項１に記載の方法。
【請求項９】  前記検出された輻輳は、前記データ通信システムのコアネットワークにおける輻輳によって特徴づけられる
ことを特徴とする請求項１に記載の方法。
【請求項１０】  前記加入者局によって使用される前記第３品質のサービスレベルを割り当てる工程は、前記加入者局へ前記第３品質のサービスレベルを提供するためのリソースを予約することによって特徴づけられる
ことを特徴とする請求項１に記載の方法。
【請求項１１】  前記第３品質のサービスレベルの前記割当を前記加入者局へ通知する工程とを更に備える
ことを特徴とする請求項１に記載の方法。
【請求項１２】  前記加入者局からの前記第２品質のサービスレベルの割当の受諾の受信の応答として、前記データ通信セッションを前記割り当てられた第３品質のサービスレベルへアップグレードする工程を更に備える
ことを特徴とする請求項１１に記載の方法。
【請求項１３】  パケット交換電気通信システム（２）であって、
移動ユーザ局（１０）でデータパケットを含む信号を通信する無線ネットワーク（４）と、
前記データパケットを転送し、かつ第１品質のサービスレベルで前記データパケットを転送するために前記ユーザ局からのリクエストを受信するコアネットワーク（６）とを備え、
前記電気通信システム（２）は、前記第１品質のサービスレベルを提供するためのシステムリソースが利用不可能である場合（５６）、前記データパケットの転送に対する第２品質のサービスレベルを提供するシステムリソースを割り当てることが可能であり、前記電気通信システム（２）は、更に、前記データパケット信号の前記通信中に、前記第１品質のサービスレベルを提供する利用可能なシステムリソースを確認する場合、前記データパケットの転送に対する前記第１品質のサービスレベルを提供するシステムリソースを割り当てる
ことを特徴とするパケット交換電気通信システム。
【請求項１４】  前記第１品質のサービスレベルを提供する前記システムリソースは、第１コアネットワークベアラサービスによって特徴づけられ、前記第２品質のサービスレベルを提供する前記システムリソースは、第２コアネットワークベアラサービスを有する
ことを特徴とする請求項１３に記載のパケット交換電気通信システム。
【請求項１５】  前記第１品質のサービスレベルを提供する前記システムリソースは、第１無線ベアラサービスによって特徴づけられ、前記第２品質のサービスレベルを提供する前記システムリソースは、第２無線ベアラサービスを有する
ことを特徴とする請求項１３に記載のパケット交換電気通信システム。
【請求項１６】  前記システムは、汎用パケット無線サービス（ＧＰＲＳ）システムによって特徴づけられる
ことを特徴とする請求項１３に記載のパケット交換電気通信システム。
【請求項１７】  前記コアネットワークは、在圏ＧＰＲＳサポートノード（２０）を含んでいる
ことを特徴とする請求項１６に記載のパケット交換電気通信システム。
【請求項１８】  前記コアネットワークは、ゲートウェイＧＰＲＳサポートノード（２４）を含んでいる
ことを特徴とする請求項１６に記載のパケット交換電気通信システム。
【請求項１９】  前記システムは、ユニバーサル移動電気通信システムによって特徴づけられる
ことを特徴とする請求項１３に記載のパケット交換電気通信システム。
【請求項２０】  前記コアネットワークは、前記無線ネットワーク（１６）とサーバ間でデータパケットを転送する
ことを特徴とする請求項１３に記載のパケット交換電気通信システム。
【請求項２１】  前記第１及び第２品質のサービスレベルを提供するシステムリソースの前記割当は、前記コアネットワーク（６）によって実行される
ことを特徴とする請求項１３に記載のパケット交換電気通信システム。
【請求項２２】  前記第１及び第２品質のサービスレベルを提供するシステムリソースの前記割当は、前記無線ネットワーク（４）によって実行される
ことを特徴とする請求項１３に記載のパケット交換電気通信システム。
【請求項２３】  前記コアネットワーク（６）は、前記第１品質のサービスレベルを提供するシステムリソースが利用可能であるかを確認するために、システムの輻輳を監視する
ことを特徴とする請求項１３に記載のパケット交換電気通信システム。
【請求項２４】  前記コアネットワークは、前記無線ネットワーク（１６）を定期的に問い合わせることによってシステムの輻輳を監視する
ことを特徴とする請求項２３に記載のパケット交換電気通信システム。
【請求項２５】  前記無線ネットワークは、前記第１品質のサービスレベルを提供するシステムリソースが利用可能であるかを確認するために、システムの輻輳を監視する
ことを特徴とする請求項１３に記載のパケット交換電気通信システム。